(57)【要約】【課題】本発明は、一般的コンタクトレンズ及び使い捨てコンタクトレンズの使用において、使用に係る時間管理を容易にするコンタクトレンズ収納器具を実現することを目的とする。【解決手段】一般的コンタクトレンズ及び使い捨てコンタクトレンズ収納器具において、コンタクトレンズ使用に係る時間を表示するための計数手段を備えており、前記計数手段は、円盤状蓋部材の周縁部に付された計数数字と、前期計数用数字を特定するための指示手段とからなる。【選択図】  図２
2004219968.tif 000002
【特許請求の範囲】
【請求項１】
一般的コンタクトレンズ及び使い捨てコンタクトレンズ使用に係る時間を表示するための計数手段を備えた、一般的コンタクトレンズ及び使い捨てコンタクトレンズ収納器具。
【請求事項２】前記計数手段は、円盤状蓋部材の周縁部に付された計数用数字と、前記計数用数字を特定するための指示手段とからなる請求項１に記載の一般的コンタクトレンズ及び使い捨てコンタクトレンズ収納器具。
【発明の詳細な説明】
【０００１】
【発明の属する技術分野】
本発明は、一般的コンタクトレンズ及び使い捨てコンタクトレンズを収納するための一般的コンタクトレンズ及び使い捨てコンタクトレンズ収納器具に計数手段を備え付け、使用に係る時間の記録・管理が容易で且つ分かり易いようにしたものである。
【０００２】
【従来の技術】
コンタクトレンズとは、眼球に直接はめる小さく薄いレンズであり、視力を矯正するものである。その中でも使い捨てでないもの（ソフトレンズとハードレンズがある）と、使い捨てのものがある。それぞれについては、管理しなければいけない使用に係る時間が違う。よって、本発明では、使い捨てでないものを一般的コンタクトレンズ、使い捨てのものを使い捨てコンタクトレンズと呼ぶ。
【０００３】
一般的コンタクトレンズには使用後の最低保存時間が定められており、一般的コンタクトレンズを使用してはずした後、保存液に所定の時間以上保存せねばならない。また、使い捨てコンタクトレンズの場合には使用期限（数日、若しくは、数週等）が定められており、その使用期限毎に新しいものと交換する必要がある。よって、一般的コンタクトレンズ及び使い捨てコンタクトレンズは、使用に係る時間の記録・管理が大切であり、その記録・管理を適切に行わなくてはならない。記録・管理を怠ったり、誤ったりした場合には、使用者の目にかかる負担が大きくなり、角膜に傷がついたりするなどの健康上の不具合を引き起こす恐れがある。
【０００４】
このため、一般的コンタクトレンズ及び使い捨てコンタクトレンズの使用者は使用に係る時間（保存時間、保存開始時間、最低保存終了時間、使用開始日時、使用終了予定日時、実際に使用した日数、使用可能日数、予定使用期限数等）の記録・管理を行わなければならない。一般的コンタクトレンズ及び、使い捨てコンタクトレンズの使用に係る時間に対する記録・管理は、従来は、使用者がカレンダーや手帳に記録する等していた。
【０００５】
従来のコンタクトケース（一般的コンタクトケース及び使い捨てコンタクトケース）には、コンタクトレンズ（一般的コンタクトレンズ及び使い捨てコンタクトレンズ）の携帯及び消毒の両方に用いることのできるコンタクトレンズケースであって、（ａ）コンタクトレンズ及び消毒溶液の十分な量を入れることができ、底部分を有する容器を画定する主本体部分、（ｂ）容器の底の上部にコンタクトレンズを懸垂するための手段、（ｃ）容器中の安定位置にコンタクトレンズを保持する手段、容器中にコンタクトレンズを入れるための空間を形成し、そして溶液を容器の全体にわたって循環させるための多孔性の懸垂手段の上部に配置することのできる保持手段、及び（ｄ）容器を密封する手段を含むことを特徴とするコンタクトケースがある（例えば、特許文献１参照）。
【０００６】
【特許文献１】
特開平０６−２０５７０６号公報（第１図、２図）
【０００７】
【発明が解決しようとする課題】
しかし、上述したように、カレンダーや手帳に記録することは、非常に手間がかかり、煩わしさが伴うため、記録し忘れたりするなどの不具合が生じる場合もある。このため、使用者によっては、一般的コンタクトレンズ使用の場合、最低保存時間の管理を怠り、最低保存時間を守らずに使用したり、使い捨てコンタクトレンズ使用の場合、使用期間が十分に残っている使い捨てコンタクトレンズを早期に交換してしまうことによる経済的損失や、交換する必要のある使い捨てコンタクトレンズを使用し続けることによる眼内の損傷といった目に係る健康上の問題を引き起こす恐れがあった。
【０００８】
本発明は上記の問題に鑑みてなされたものであり、その目的は、一般的コンタクトレンズの最低保存時間、使い捨てコンタクトレンズの使用期限に係る記録・管理を容易に且つわかり易いものとし、一般的コンタクトレンズ及び使い捨てコンタクトレンズ使用者の健康上の安全性を向上させる点にある。
【０００９】
【課題を解決するための手段】
この目的を達成するための本発明に係る一般的コンタクトレンズ及び使い捨てコンタクトレンズ収納器具の第一特徴構成は、特許請求の範囲の欄、請求事項１に記載した如く、一般的コンタクトレンズ及び使い捨てコンタクトレンズ使用に係る時間を表示するための計数手段を備えた点である。
【００１０】
ここで、一般的コンタクトレンズ及び使い捨てコンタクトレンズ収納器具とは、一般的コンタクトレンズ及び使い捨てコンタクトレンズの収納や洗浄等に係る一般的コンタクトケース及び使い捨てコンタクトケース、煮沸器等、日常の一般的コンタクトレンズ及び使い捨てコンタクトレンズの使用において必要とされる収納器具一般を指す。即ち、本構成の如く、日常の一般的コンタクトレンズ及び使い捨てコンタクトレンズの使用に於いて使用される収納器具上に、一般的コンタクトレンズ及び使い捨てコンタクトレンズの使用に係る時間、例えば、保存時間、保存開始時間、最低保存終了時間、使用開始日時、使用終了予定日時、実際に使用した日数、使用可能日数、予定使用期限数等を記録する計数手段を備えることにより、記録し忘れを効果的に防止でき、記録に係る手間を省いて、容易に使用に係る時間管理が行えるのである。更に、使用者の健康上の安全性を向上させることが可能である。
【００１１】
同第二特徴構成は、特許請求の範囲の欄、請求項２に記載した如く、上記第一特徴構成に加えて、前期計数手段は、円盤状蓋部材の周縁部に付された計数用数字と、前期計数用数字を特定するための指示手段とからなる点にある。
【００１２】
ここで、一般的コンタクトケース及び使い捨てコンタクトケースの形状は、一般的に円柱状であり、例えば、２つの円柱状収納部が一枚のプレートに配置されている（図１）。従って、本構成の如く、円柱状部材の蓋部材を利用することにより、前記計数手段を容易に実現する事ができるのである。また、蓋部材を利用することにより、取り付ける必要のある部材を少なくすることができ、設置場所等を考慮する必要もなくなるのである。
【００１３】
【発明の実施の形態】
本発明に係る一般的コンタクトレンズ及び使い捨てコンタクトレンズ収納器具（以下、適宜「本発明器具」と略する）の実施の形態について、図面に基づいて説明する。
【００１４】
本発明器具の第一実施構成は、図２に示すように、ケースの蓋１上に回転軸３と数字盤４が備えられている。
【００１５】
回転軸３は、数字盤４が回転できるようにしてケースの蓋１に取り付けてある。数字盤４は、その周辺部に１〜３１までの計数用数字が時計回りに表示されている。数字盤４を手で回転させる事により使用に係る計数用数字の特定が可能である。例えば、図２では１月１日に合わしている。
【００１６】
一般的コンタクトレンズ使用について、一般的コンタクトレンズを使用後、一般的コンタクトケースに保存する時に保存開始時間を特定するため、数字盤４を回転させて計数用数字を矢印５に合わす。使い捨てコンタクトレンズ使用について、新しい使い捨てコンタクトレンズの装着を開始する最初の日を特定するため、数字盤４を回転させて計数用数字を矢印５に合わし、使い捨てコンタクトレンズを使用する。
【００１７】
一般的コンタクトレンズ使用者について、一般的コンタクトレンズを装着する時に、一般的コンタクトケースの蓋１に取り付けられた数字盤４でどれだけの時間、保存したかが容易に分かる事ができる。使い捨てコンタクトレンズ使用者について、新しい使い捨てコンタクトレンズ装着の最初の日が、ケースの蓋１に取り付けられた数字盤４から一目で分かるため、使用者は使い捨てコンタクトレンズ使用期限を容易に知る事ができる。
【００１８】
【００１９】
本発明器具の第二実施構成は、図３に示すように、ケースの蓋１上に回転軸３と指針６が備えられている。
【００２０】
回転軸３は、指針６が回転できるようにしてケースの蓋１に取り付けてある。指針６を手で回転させ、ケースの蓋１の周辺部に表示された１〜３１までの計数用数字を指し示す事により、計数用数字の特定が可能である。例えば、図３では１月８日に合わしている。
【００２１】
一般的コンタクトレンズ使用について、一般的コンタクトレンズを使用後、一般的コンタクトケースに保存する時に保存開始時間を特定するため、指針６を回転させてケースの蓋１の周辺部に表示された１〜３１までの計数用数字を指し示す。使い捨てコンタクトレンズ使用について、新しい使い捨てコンタクトレンズの装着を開始する最初の日を特定するため数字盤４を回転させてケースの蓋１の周辺部に表示された１〜３１までの計数用数字を指し、使い捨てコンタクトレンズを使用する。
【００２２】
一般的コンタクトレンズ使用について、一般的コンタクトレンズを装着する時に、指針６で示された計数用数字でどれだけの時間、保存したかが容易に分かる事ができる。使い捨てコンタクトレンズ使用について、新しい使い捨てコンタクトレンズ装着の最初の日が、指針６で示された計数用数字から一目で分かるため、使用者は使い捨てコンタクトレンズ使用期限を容易に知る事ができる。
【００２３】
【００２４】
本発明器具の第三実施構成は、図４に示すように、ケースの蓋１上に回転軸３とのぞき窓盤７が取り付けられている。
【００２５】
回転軸３は、のぞき窓盤７が回転できるようにしてケースの蓋１に取り付けてある。ケースの蓋１の周辺部には１〜３１までの計数用数字が表示されている。
のぞき窓盤７を手で回転させる事により計数用数字の特定が可能である。
【００２６】
一般的コンタクトレンズ使用について、一般的コンタクトレンズを使用後、一般的コンタクトケースに保存する時に保存開始時間を特定するため、のぞき窓盤７を回転させてケースの蓋１の周辺部に表示された１〜３１までの計数用数字を特定する。使い捨てコンタクトレンズ使用について、新しい使い捨てコンタクトレンズの装着を開始する最初の日を特定するため、のぞき窓盤７を回転させてケースの蓋１の周辺部に表示された１〜３１までの計数用数字を特定し、使い捨てコンタクトレンズを使用する。
【００２７】
一般的コンタクトレンズ使用について、一般的コンタクトレンズを装着する時に、のぞき窓盤７で示された計数用数字でどれだけの時間、保存したかが容易に分かる事ができる。使い捨てコンタクトレンズ使用について、新しい使い捨てコンタクトレンズ装着の最初の日が、のぞき窓盤７で示された計数用数字から一目で分かるため、使用者は使い捨てコンタクトレンズ使用期限を容易に知る事ができる。
【００２８】
【００２９】
本発明器具の第四実施構成は、使い捨てコンタクトレンズ収納器具である煮沸器８について説明する。煮沸器８は、使い捨てコンタクトレンズをはずした後、熱消毒を行うためのものである。図５に示すように、煮沸器８の内部に数字帯１１が取り付けられ、周辺部には変更ダイヤル１０及びのぞき窓９が取り付けられてある。
【００３０】
数字帯１１には１〜３１までの計数用数字が表示されている。変更ダイヤル１０を手で回転させることにより数字帯が回転し、のぞき窓９から見える計数用数字の変更が可能である。
【００３１】
一般的コンタクトレンズ使用について、一般的コンタクトレンズを使用後、一般的コンタクトケースに保存する時に保存開始時間を特定するため、変更ダイヤル１０を回転させて数字帯１１に表示された１〜３１までの計数用数字をのぞき窓９に合わせる。使い捨てコンタクトレンズ使用について、新しい使い捨てコンタクトレンズの装着を開始する最初の日を特定するため、変更ダイヤル１０を回転させて数字帯１１に表示された１〜３１までの計数用数字をのぞき窓９に合わせ、使い捨てコンタクトレンズを使用する。
【００３２】
一般的コンタクトレンズ使用者について、一般的コンタクトレンズを装着する時に、のぞき窓９で示された計数用数字でどれだけの時間、保存したかが容易に分かる事ができる。使い捨てコンタクトレンズ使用について、新しい使い捨てコンタクトレンズ装着の最初の日が、のぞき窓９で示された計数用数字から一目で分かるため、使用者は使い捨てコンタクトレンズ使用期限を容易に知る事ができる。
【００３３】
【発明の効果】
一般的コンタクトレンズ及び使い捨てコンタクトレンズの使用に係る時間の記録し忘れを効果的に防止でき、記録に係る手間を省いて、容易に使用に係る時間管理が行えるのである。更に、正しい一般的コンタクトレンズ及び使い捨てコンタクトレンズの使用を促進させることができ、使用者の健康上の安全性を向上させることが可能である。
【００３４】
【図面の簡単な説明】
【図１】従来の幅広く使用されている一般的コンタクトレンズ又は使い捨てコンタクトレンズ収納器具の一種である、一般的コンタクトケース及び使い捨てコンタクトケースを表す図である。
【図２】本発明に係る一般的コンタクトレンズ又は使い捨てコンタクトレンズ収納器具の一種である、一般的コンタクトケース又は使い捨てコンタクトケースの第一実施構成を表す図である。
【図３】本発明に係る一般的コンタクトレンズ又は使い捨てコンタクトレンズ収納器具の一種である、一般的コンタクトケース又は使い捨てコンタクトケースの第二実施構成を表す図である。
【図４】本発明に係る一般的コンタクトレンズ又は使い捨てコンタクトレンズ収納器具の一種である、一般的コンタクトケース又は使い捨てコンタクトケースの第三実施構成を表す図である。
【図５】本発明に係る使い捨てコンタクトレンズ収納器具の一種である、煮沸器の第四実施構成を表す図である。
【符号の説明】
１    ケースの蓋
２    一般的コンタクトケース又は使い捨てコンタクトケース
３    回転軸
４    数字盤
５    矢印
６    指針
７    のぞき窓盤
８    煮沸器
９    のぞき窓
１０  変更ダイヤル
１１  数字帯
【図１】
2004219968.tif 000003
【図２】
2004219968.tif 000004
【図３】
2004219968.tif 000005
【図４】
2004219968.tif 000006
【図５】
2004219968.tif 000007